(57)【特許請求の範囲】
【請求項１】
湯水が通過する流路及び切替室を内部に形成したシャワーヘッド本体は、第１弁口と第２弁口と第３弁口を穿設した分流筒を切替室に装着し、該切替室には分流筒に穿設した各弁口を開閉する弁体をボタンと連繋して収容し、前記第１弁口又は第３弁口を開閉する第１弁体と、第１弁口又は第２弁口を開閉する第２弁体とは左右に並べられ、第１弁体は第１弁体保持具により第１ボタンと連繋し、第２弁体は第２弁体保持具により第２ボタンと連繋し、前記第１弁口と連通する第１通水孔と、該第１通水孔の外周側に形成され前記第２弁口と連通する第２通水孔と、該第２通水孔の外周側に形成され前記第３弁口と連通する第３通水孔とが、吐水形態が異なるように形成されている吐水筒を下部から装着し、前記ボタンの操作で左右に並んだ弁体は一方の弁体の移動により他方の弁体を移動させ、３個の弁口のうち２個の弁口を閉鎖し１個の弁口を開口することで、吐水筒の何れかの孔から湯水を吐水可能としたことを特徴とするシャワーヘッド。
【発明の詳細な説明】
【０００１】
【発明の属する技術分野】
本発明は、水栓の先端又はシャワーホースの先端に取付けて、多種類の形態での吐水を可能としたシャワーヘッドに関する。
【０００２】
【従来の技術】
一般に流し台や洗面化粧台で使用されるシャワーヘッドは、ボタンの操作で直流吐水とシャワー散水吐水、又は直流吐水と泡沫吐水等、用途に応じて２種類の吐水状態に切替え可能であるが、作業条件に応じて効率的に使用できるように３種類の吐水を選択できるようにしたものに、特開平４−７０５０号公報の図３（本願図面の図１０）のものがある。この図１０について簡単に説明すると、シャワーヘッド７１は第１切替弁７４で開閉される第１吐水部７３と、第１切替弁７４で開閉される連通路７２の下流に設けられ、第２切替弁７８の開閉で第２又は第３の吐水を行わせる第２吐水部７９とを備え、第１ツマミ７７の操作で第１切替弁７４が上面にあり、連通路７２への流路が閉じている状態では、第１吐水部７３から整流器７５及び網体７６を通過して整流された整流水が吐水され、第１ツマミ７７を回動させ第１切替弁７４が下面にあり、第１吐水部７３への流路が閉鎖し、連通路７２が開放されていると、湯水は連通路７２と水平方向に連通している流入口８０に入り、該流入口８０と上下に連通する流出口８２は、第２切替弁７８で上下に閉鎖されているので、迂回路８１から流出口８２へ供給され、迂回路８１の渦流発生部８３で渦流を生成し、第２吐水部７９の吐水口８４から泡沫水が吐水され、第２ツマミ８５を回転させて第２切替弁７８を上昇させ、流出口８２を開放すると、湯水は垂直方向に落下するので、第２吐水部７９の吐水口８４からシャワー水が吐水されるものである。
【０００３】
上記のシャワーヘッドは、吐水形態の異なる３種類の吐水を可能とするためには、内部に切替機構を前後に２個並べ、切替機構と連繋するように前後に並べた２個のツマミを別々に操作する必要があり、どのツマミを操作すれば使用したい吐水形態とすることができるのかわかりづらく、操作性の悪いものであり、しかも切替機構を２個設けるとシャワーヘッドが大型化するうえ、製造コストが上昇するものであった。
【０００４】
【発明が解決しようとする課題】
本発明が解決しようとする課題は、３種類の吐水形態から選択できるようにしたシャワーヘッドの操作性を向上させ、素早く希望する吐水形態を選択できるようにすると共に、構造を簡略にして少ない部品点数により、安価に製作できるようにすることである。
【０００５】
【課題を解決するための手段】
本発明は請求項１では、湯水が通過する流路及び切替室を内部に形成したシャワーヘッド本体は、第１弁口と第２弁口と第３弁口を穿設した分流筒を切替室に装着し、該切替室には分流筒に穿設した各弁口を開閉する弁体をボタンと連繋して収容し、前記第１弁口又は第３弁口を開閉する第１弁体と、第１弁口又は第２弁口を開閉する第２弁体とは左右に並べられ、第１弁体は第１弁体保持具により第１ボタンと連繋し、第２弁体は第２弁体保持具により第２ボタンと連繋し、前記第１弁口と連通する第１通水孔と、該第１通水孔の外周側に形成され前記第２弁口と連通する第２通水孔と、該第２通水孔の外周側に形成され前記第３弁口と連通する第３通水孔とが、吐水形態が異なるように形成されている吐水筒を下部から装着し、前記ボタンの操作で左右に並んだ弁体は一方の弁体の移動により他方の弁体を移動させ、３個の弁口のうち２個の弁口を閉鎖し１個の弁口を開口することで、吐水筒の何れかの孔から湯水を吐水可能としたものである。
【０００６】
【発明の実施の形態】
以下、本発明の実施の形態を図に基づいて詳細に説明する。
本発明は図１に示すように、シャワーヘッド本体１は全体を合成樹脂材料で成型し、内部には湯水が通過する横長で円筒状の流路２が形成され、該流路２の一端に開口した接続口３にシャワーホースを接続するもので、流路２の他端には下方に向けて切替室４を形成し、該切替室４には下方から分流筒８が装着される。
【０００７】
前記分流筒８は図１乃至図３に示すように、大径円盤部９と、該大径円盤部９より小径の小径円盤部１６と、大径円盤部９の中央から下方に突設した円筒形で、小径円盤部１６より小径の直流吐水部１９とを上下に一体に形成した形状であり、両円盤部９，１６は外周面にそれぞれ環状溝１０，１７を形成して水密用のシール材１１，１８を装着し、大径円盤部９上面のシート面１２には、円形で直流用の第１弁口１３を中央にしてその両側に同一形状の散水用の第２弁口１４と泡沫用の第３弁口１５とが、後述する一対の弁体保持具３０，３６の各弁軸３２，３８を中心とする同心円上に位置するように間隔をおいて穿設され、第１弁口１３は前記直流吐水部１９の通水路２０と上下に連通し、第２弁口１４は直流吐水部１９と小径円盤部１６の間に形成された環状の散水路２３と上下に連通し、第３弁口１５は大径円盤部９を上下に貫通している。また、前記直流吐水部１９の通水路２０には、通過する湯水を整流化するための整流器２２を収容している。
【０００８】
一対のボタン２４，２７は丸みを帯びた略長方形の板状で、上面又は下面の一部に薄肉とした係合部２５，２８を形成し、第１ボタン２４は係合部２５を下面に、第２ボタン２７は係合部２８を上面にした状態で互いの係合部２５，２８を上下に重ね合わせ、図４に示すように両ボタン２４，２７は中央部で上下に重ね合わせた状態で、シャワーヘッド本体１の正面から水平方向に開口した横長の開口孔５に一部が外部に露出するように装着するものであり、各係合部２５，２８には上下に貫通した貫通溝２６，２９を夫々穿設し、該貫通溝２６，２９には下方から弁体保持具３０，３６の弁軸３２，３８が係合される。
【０００９】
前記弁体保持具３０，３６は図２に示すように、長方形状のプレート部３１，３７の両端に、ボタン２４，２７の貫通溝２６，２９に係合する弁軸３２，３８と円筒形の保持筒３３，３９とを一体形成したもので、該保持筒３３，３９は下方を開口した円筒形で、弁体３５，４１を前記分流筒８のシート面１２に向けて下方に弾力的に押圧するためのスプリング３４，４０を内部に収容可能である。そしてこの弁体保持具３０，３６は、第１弁体保持具３０は第１ボタン２４と結合し、第２弁体保持具３６は第２ボタン２７と結合するものであり、シャワーヘッド本体１の開口孔５から切替室４に連通するように上下に穿設した一対の軸孔６，６に、各弁軸３２，３８を水平方向に回転可能に挿着し、横断面四角形状の該弁軸３２，３８の先端にボタン２４，２７の貫通溝２６，２９を係合した状態で、弁軸３２，３８を中心に水平方向に回転自在にシャワーヘッド本体１の切替室４内に収容される。また両ボタン２４，２７は何れも一部は必ずシャワーヘッド本体１の開口孔５から外部へ露出しており、図７に示すように、各ボタン２４，２７がシャワーヘッド本体１から左右両端で露出している場合は、中央の直流用の第１弁口１３が開口し、この状態から図８に示すように正面から第１ボタン２４を押した場合は、第１弁体保持具３０が弁軸３２を中心に平行方向に回転するので泡沫用の第３弁口１５が開口し、図９に示すように正面から第２ボタン２７を押した場合は、第２弁体保持具３６が弁軸３８を中心に平行方向に回転するので、第１弁体保持具３０を水平方向に押しながら回転し、散水用の第２弁口１４を開口するように連繋している。
【００１０】
泡沫板４２は図１及び図２に示すように、略リング型で外周面に環状溝４３を形成してシール材４４を装着し、中央に開口した嵌合孔４５を、前記分流筒８の小径円盤部１６の外周に水密的に嵌合するものであり、嵌合孔４５周縁から上方には、環状の筒部４５ａが突出して一体形成され、周面の環状部４６には多数の小孔４８を上下方向に多数穿設した通水部４７を等間隔で複数個形成している。
【００１１】
前記泡沫板４２の上部には、略リング型のストレーナ４９が重ね合わされる。該ストレーナ４９は泡沫板４２の環状部４６を上部から覆うもので、前記分流筒８の第３弁口１５から供給される湯水は、ストレーナ４９の網目により異物が除去された状態で、泡沫板４２の通水部４７を通過するものであり、湯水は多数の小孔４８により流速を増して下方に供給される。
【００１２】
吐水筒５０は図１及び図２に示すように上部を開口した円筒形で、上部内周に形成した雌ねじ部５１をシャワーヘッド本体１の下部外周に形成した雄ねじ部７にシール材５２を挟んで螺着することで水密的に装着され、図５及び図６に示すように、中央部分に前記分流筒８の直流吐水部１９と上下に連通する円筒状の直流筒５３を形成し、該直流筒５３には整流網５５を複数枚重ね合わせて保持し、直流用の第１通水孔５４から直流水を外部へ吐水可能である。また、直流筒５３の外周には，分流筒８の散水路２３と上下に連通する散水通路５６を環状に形成し、該散水通路５６の下部にリング型の散水板５７を装着し、該散水板５７は周面に多数の散水用の第２通水孔５８を均一に穿設し、該第２通水孔５８から散水が外部へ吐水される。そして散水通路５６の外周側には環状の収納部５９が形成され、前記泡沫板４２の通水部４７と上下に連通する泡沫用の第３通水孔６０を、円周方向に等間隔で複数個形成している。また、前記収納部５９には第３通水孔６０を上部から覆う泡沫網６１が、複数枚重ね合わされた状態で嵌め込まれており、前記泡沫板４２の小孔４８により流速を増して供給される湯水は、泡沫網６１に衝突するようにしている。
【００１３】
吐水筒５０の底面で第３通水孔６０の外周には、円形の空気導入孔６２を等間隔で各第３通水孔６０の間ごとに複数個穿設し、該空気導入孔６２は外部から吐水筒５０の収納部５９に空気を導入し、前記泡沫板４２の小孔４８から流速を増して収納部５９に供給される湯水は、空気が混入した状態で複数枚の泡沫網６１に衝突することで、良好な泡沫水を形成できるようにしている。
【００１４】
上記構成のシャワーヘッドにおいて、図７では第１ボタン２４と連繋した第１弁体３５は第３弁口１５を閉鎖し、第２ボタン２７と連繋した第２弁体４１は第２弁口１４を閉鎖し、第１弁口１３は開口して切替室４と連通している。この場合切替室４の湯水は、分流筒８の直流吐水部１９に収容されている整流器２２及び吐水筒５０の複数枚の整流網５５を通過して、乱れのない整流化された直流状態で直流用の第１通水孔５４から勢いよく吐水され、この直流水はコップ又はその他大きな容器に短時間で湯水を入れる場合に適している。
【００１５】
次に図７の状態から、シャワーヘッド本体１の正面から露出している第１ボタン２４を押すと、図８に示すように第１ボタン２４と連繋した第１弁体保持具３０は、弁軸３２を中心にして第１弁体３５が水平方向に移動し、該第１弁体３５は第１弁口１３を閉鎖し、泡沫用の第３弁口１５は開口して切替室４と連通している。この場合切替室４の湯水は、第３通水孔６０から外部へ吐水されるまでの間に、泡沫板４２の通水部４７で多数の小孔４８で流速が増すのと、泡沫網６１を通過する湯水には、吐水筒５０の空気導入孔６２から導入される空気が混入することで、湯水は良好に泡沫化されて各第３通水孔６０から泡沫水が吐水され、この泡沫水は流水音やシンク等への落下音が低いうえ、水跳ねが少なく柔らかい水流を広い範囲で吐出させることができ、食器類の洗浄に好都合である。
【００１６】
さらに図８の状態から、シャワーヘッド本体１の正面から露出している第２ボタン２７を押すと、図９に示すように第２ボタン２７と連繋した第２弁体保持具３６は弁軸３８を中心にして第２弁体４１が水平方向に移動するが、この場合第１弁体３５は第２弁体４１と左右に並んでいるので、第２弁体４１に押されて同一方向に移動し、第１弁体３５は泡沫用弁口１５を閉鎖し、第２弁体４１は直流用弁口１３を閉鎖し、散水用の第２弁口１４は開口して切替室４と連通している。この際切替室４の湯水は、分流筒８の散水路２３及び吐水筒５０の散水板５７を通過して外部へ吐水され、散水板５７の第２通水孔５８から肌触りのよい散水を吐水させることができる。
【００１７】
なお、本実施例では３個の通水孔から直流水，散水，泡沫水を吐水するが、他の吐水形態としてもよく、例えばマッサージ水やミスト水を吐水できるようにしてもよい。
【００１８】
【発明の効果】
この発明は、湯水が通過する流路及び切替室を内部に形成したシャワーヘッド本体は、第１弁口と第２弁口と第３弁口を穿設した分流筒を切替室に装着し、該切替室には分流筒に穿設した各弁口を開閉する弁体をボタンと連繋して収容し、前記第１弁口又は第３弁口を開閉する第１弁体と、第１弁口又は第２弁口を開閉する第２弁体とは左右に並べられ、第１弁体は第１弁体保持具により第１ボタンと連繋し、第２弁体は第２弁体保持具により第２ボタンと連繋し、前記第１弁口と連通する第１通水孔と、該第１通水孔の外周側に形成され前記第２弁口と連通する第２通水孔と、該第２通水孔の外周側に形成され前記第３弁口と連通する第３通水孔とが、吐水形態が異なるように形成されている吐水筒を下部から装着し、前記ボタンの操作で左右に並んだ弁体は一方の弁体の移動により他方の弁体を移動させ、３個の弁口のうち２個の弁口を閉鎖し１個の弁口を開口することで、吐水筒の直流，散水又は泡沫等の何れかの孔から湯水を吐水可能としたボタンの操作で３個の吐水流路の切替操作を素早く行うことができ、操作性が向上し使い勝手が極めて良い。また、ボタンと連繋する切替機構を従来のように複数個設ける必要がなく、少ない部品点数で安価に製作可能である。
【図面の簡単な説明】
【図１】  この発明のシャワーヘッドの縦断面図である。
【図２】  シャワーヘッドの分解斜視図である。
【図３】  分流筒の拡大底面図である。
【図４】  シャワーヘッドの正面図である。
【図５】  吐水筒の拡大底面図である。
【図６】  吐水筒の拡大平面図である。
【図７】  シャワーヘッドの直流水を吐水する場合の説明図である。
【図８】  シャワーヘッドの泡沫水を吐水する場合の説明図である。
【図９】  シャワーヘッドの散水を吐水する場合の説明図である。
【図１０】  従来技術の説明図である。
【符号の説明】
１                      シャワーヘッド本体
２                      流路
４                      切替室
８                      分流筒
１３                    第１弁口
１４                    第２弁口
１５                    第３弁口
２４                    第１ボタン
２７                    第２ボタン
３０                    第１弁体保持具
３５                    第１弁体
３６                    第２弁体保持具
４１                    第２弁体
５０                    吐水筒
５４                    第１通水孔
５８                    第２通水孔
６０                    第３通水孔
【図１】
0003816332.tif 000002
【図２】
0003816332.tif 000003
【図３】
0003816332.tif 000004
【図４】
0003816332.tif 000005
【図５】
0003816332.tif 000006
【図６】
0003816332.tif 000007
【図７】
0003816332.tif 000008
【図８】
0003816332.tif 000009
【図９】
0003816332.tif 000010
【図１０】
0003816332.tif 000011